(57)【特許請求の範囲】
【請求項１】
ディスクの挿排口を設けたシャーシと、当該シャーシに弾性部材を介して保持されるフローティング部とからなり、
前記フローティング部は、
回転により、ディスクを前記挿排口から再生位置までの搬送経路に沿って搬送する搬送ローラと、
前記搬送ローラを前記挿排口に対して前記再生位置側で回転自在に支持し、前記ディスクを再生する場合は前記搬送ローラを前記搬送経路から退避させ、前記ディスクを搬送する場合は前記搬送ローラを前記搬送経路へ移動させる可動部材と、
前記可動部材の前記挿排口側に突設され、前記可動部材による前記搬送ローラの退避動作に連動して前記搬送経路内に移動させられ、新たなディスクの挿入を阻止するディスク挿入防止突部と、
前記再生位置に搬送された前記ディスクを再生する再生部とを有するディスク装置において、
前記ディスク挿入防止突部は、当該ディスク挿入防止突部の挿排口側に形成され、前記シャーシ天面側に向かうにつれ前記挿排口側へ傾斜するテーパ形状であり、前記搬送経路の方向に対して傾いた状態で挿入される前記新たなディスクが当接し、該当接による押圧力により前記フローティング部を遊動させる受け部を備え、前記フローティング部が前記シャーシの天面側へ遊動して前記フローティング部と前記シャーシの天面との隙間を閉じることを特徴とするディスク装置。
【請求項２】
ディスクの挿排口を設けたシャーシと、当該シャーシに弾性部材を介して保持されるフローティング部とからなり、
前記フローティング部は、
回転により、ディスクを前記挿排口から再生位置までの搬送経路に沿って搬送する搬送ローラと、
前記搬送ローラを前記挿排口に対して前記再生位置側で回転自在に支持し、前記ディスクを再生する場合は前記搬送ローラを前記搬送経路から退避させ、前記ディスクを搬送する場合は前記搬送ローラを前記搬送経路へ移動させる可動部材と、
前記可動部材の前記挿排口側に突設され、前記可動部材による前記搬送ローラの退避動作に連動して前記搬送経路内に移動させられ、新たなディスクの挿入を阻止するディスク挿入防止突部と、
前記再生位置に搬送された前記ディスクを再生する再生部とを有するディスク装置において、
前記ディスク挿入防止突部は、板金製の前記可動部材を内角が鈍角をなすよう前記シャーシ天面側へ折り曲げてなり、当該折り曲げ部分の挿排口側を向く面であって、前記搬送経路の方向に対して傾いた状態で挿入される前記新たなディスクが当接し、該当接による押圧力により前記フローティング部を遊動させる受け部を備え、前記フローティング部が前記シャーシの天面側へ遊動して前記フローティング部と前記シャーシの天面との隙間を閉じることを特徴とするディスク装置。
【発明の詳細な説明】
【技術分野】
【０００１】
この発明は、ディスクの誤挿入を防止する機構を備えたディスク装置に関するものである。
【背景技術】
【０００２】
ＣＤ（Ｃｏｍｐａｃｔ  Ｄｉｓｃ）およびＤＶＤ（Ｄｉｇｉｔａｌ  Ｖｅｒｓａｔｉｌｅ  Ｄｉｓｃ）などのディスクがディスク装置内に既に挿入されている状態で、別のディスクが挿入されることを防止する２枚目ディスク挿入防止機構の一例として、例えば特許文献１に記載された記憶媒体搬送装置がある。
【０００３】
上記特許文献１のディスク装置は、ディスク挿入口から所定位置までの搬送経路に沿ってディスクを搬送する搬送ローラと、ディスクが搬入され所定位置に達すると退避する方向に搬送ローラを移動する可動部材と、搬送ローラの退避動作に連動して搬送経路内に移動し搬送経路を塞ぐ阻止手段とを備える構成であり、ディスク再生中は阻止手段が搬送経路を塞ぐことでディスクの重複挿入を未然に防止していた。
【先行技術文献】
【特許文献】
【０００４】
【特許文献１】特開２００３−２６３８１６号公報
【発明の概要】
【発明が解決しようとする課題】
【０００５】
ディスク装置の中には、防振のために、光ピックアップなどの再生部、ならびに搬送ローラおよび可動部材などのディスク搬送部を、コイルばねなどの弾性部材を介してシャーシに取り付けた構成のものがある。以下、この構成を全体フロート型と称す。
図１２および図１３は、全体フロート型のディスク装置の断面図であり、再生部およびディスク搬送部などが設けられたフローティング部１００が、複数のコイルばね１０１を介してシャーシ１０２に保持され、フローティング状態となっている。また、このディスク装置はオーディオセットの意匠外箱１０３に収納されている。この構成において、フローティング部１００のディスク挿入口１０３ａ付近に、上記特許文献１に記載の阻止手段１０４を設けた場合、１枚目のディスク１０５がフローティング部１００の再生部に収まっている状態で２枚目のディスク１０６が斜め下方向から挿入されると（図１２（ａ））、このディスク１０６の外周縁が阻止手段１０４の垂直面に点接触してフローティング部１００を任意方向に押圧することになる。このとき、阻止手段１０４にディスク１０６が当接してそれ以上奥へ進まないため、ユーザがディスク１０６をねじ込んだりするとその動きに応じて阻止手段１０４が押し下げられることがある。すると、この阻止手段１０４と一体に遊動するフローティング部１００の前部も押し下げられ、シャーシ１０２との間にディスク１０６が入り込む隙間ができる（図１２（ｂ））。
このため、図１３に示すように、フローティング部１００とシャーシ１０２の隙間への２枚目のディスク１０６の誤挿入を防止できないという課題があった。誤挿入されたディスク１０６は搬送ローラが届かない位置にあるため、ディスク排出不良が発生する可能性があった。
【０００６】
なお、上記特許文献１のディスク装置は全体フロート型ではなく、ディスク搬送部がシャーシに直接取り付けられた構成であるので、たとえ２枚目のディスクがディスク挿入口の斜め下方向から挿入されて阻止手段に点接触したとしても、阻止手段を含むディスク搬送部は遊動しない。従って、シャーシと阻止手段との間にディスクが入り込む隙間はできず、上記のような課題もなかった。
【０００７】
この発明は、上記のような課題を解決するためになされたもので、光ピックアップなどの再生部および搬送ローラなどのディスク搬送部が弾性部材を介してシャーシに保持されたディスク装置において、再生位置以外へのディスクの誤挿入を防止することを目的とする。
【課題を解決するための手段】
【０００８】
この発明に係るディスク装置は、ディスク挿入防止突部に、搬送経路の方向に対して傾いた状態で挿入される新たなディスクが当接し、該当接による押圧力によりフローティング部を遊動させる受け部を設けたものである。
【発明の効果】
【０００９】
この発明によれば、再生部にディスクがある場合にディスク挿入防止突部が搬送経路内に移動して再生部への２枚目のディスクの重複挿入を防止することに加えて、このディスク挿入防止突部に設けた受け部が、斜め下方向から挿入される２枚目のディスクの押圧を受けてフローティング部を上方移動させることによりシャーシ天面との隙間を閉じ、２枚目ディスクの再生部以外への誤挿入を防止することができる。
【図面の簡単な説明】
【００１０】
【図１】この発明の実施の形態１に係るディスク装置の構成を示す外観斜視図であり、ディスク挿入待機状態である。
【図２】実施の形態１に係るディスク装置の構成を示す外観斜視図であり、ディスク再生状態である。
【図３】実施の形態１に係るディスク装置のフローティング部の構成を示す外観斜視図であり、ディスク再生状態である。
【図４】実施の形態１に係るディスク装置のフローティング部の構成を示す平面図であり、ディスク再生状態である。
【図５】実施の形態１に係るディスク装置において、ディスク搬送部を図３のＡ方向から見た側面図であり、ディスク挿入待機状態を示す。
【図６】実施の形態１に係るディスク装置において、ディスク搬送部を図３のＡ方向から見た側面図であり、ディスク再生状態を示す。
【図７】実施の形態１に係るディスク装置を模式的に表した側面図である。
【図８】実施の形態１に係るディスク装置の受け部の変形例を示す斜視図である。
【図９】実施の形態１に係るディスク装置の受け部の別の変形例を示す斜視図である。
【図１０】実施の形態１に係るディスク装置の受け部の別の変形例を示す斜視図である。
【図１１】実施の形態１に係るディスク装置の受け部の別の変形例を示す斜視図である。
【図１２】従来の全体フロート型のディスク装置の構成を示す断面図である。
【図１３】従来の全体フロート型のディスク装置の構成を示す断面図であり、２枚目のディスクが誤挿入された様子を示す。
【発明を実施するための形態】
【００１１】
実施の形態１．
図１および図２に示すように、本実施の形態１に係るディスク装置１は、外箱である金属製のシャーシ２と、このシャーシ２に弾性部材を介して保持されている樹脂製のフローティング部３とから構成されている。また、シャーシ２の前面には、ディスク４を出し入れするための挿排口５が形成されている。なお、図１はディスク挿入待機状態、図２はディスク４が挿入された後のディスク再生状態を示している。
【００１２】
図３は、フローティング部３の構成を示す外観斜視図、図４は、フローティング部３の内部構成を示す平面図であり、それぞれディスク再生状態を示す。また、図５および図６は、フローティング部３のディスク搬送部を図３のＡ方向から見た側面図であり、図５はディスク挿入待機状態、図６はディスク再生状態を示す。
【００１３】
防振機構であるフローティング部３は、３箇所のダンパ６と４箇所のコイルばね７ａにより、シャーシ２に対して遊動可能に保持されている。なお、コイルばね７ａの図示を省略して、このコイルばね７ａを掛止するフック７のみ図示している箇所もある。
このフローティング部３には後述するディスク搬送部および再生部が設けられており、シャーシ２が振動してもダンパ６とコイルばね７ａにより振動が減衰するのでフローティング部３のディスク搬送部および再生部などに振動が伝わりにくくなる。
なお、図示例では、シャーシ２にフローティング部３を遊動自在に保持する弾性部材としてダンパ６とコイルばね７ａを組み合わせて用いたが、これに限定されるものではない。
【００１４】
フローティング部３に設けられたディスク搬送部は、挿排口５に挿入されたディスク４を再生位置（図４に二点鎖線で示すディスク４のある位置）へ搬送する搬送ローラ１１と、ディスク再生時に搬送経路内に上昇して重複挿入を阻止するディスク挿入防止突部１２と、搬送ローラ１１とディスク挿入防止突部１２をディスク装置１の状態に応じて上下方向に可動させる可動部材１４と、モータ（不図示）と、搬送ローラ１１および可動部材１４にモータの駆動力を伝達するギア連１５と、再生位置に到達したディスク４が押動することにより回動するレバー１６と、レバー１６の回動動作に伴って前後方向にスライド移動して可動部材１４を回転させるスライド部材１７と、ディスク４の搬送をガイドするディスクガイド１８（図４では図示省略）とから構成される。
【００１５】
搬送ローラ１１は、金属製のシャフトをゴム部材などで被覆して構成されている。このシャフトの両端は可動部材１４に回転自在に支持されており、図５および図６に示すようにシャフトの一端にギア１１ａが固定されている。そして、図５に示すディスク挿入待機状態のときにはギア１１ａがギア連１５に噛み合って回転し、搬送ローラ１１を回転させて、ディスク装置１前方の挿排口５から挿入されるディスク４を、ディスク装置１後方の再生位置側へ搬送する。
【００１６】
板金部材である可動部材１４は、再生位置側で搬送ローラ１１を回転自在に支持すると共に、他方の挿排口５側を上方向に折り曲げた折り曲げ部１４ａに樹脂製のディスク挿入防止突部１２を取り付けてなる。このディスク挿入防止突部１２の挿排口５を向いた面を、挿排口５から挿入されるディスク４の外周縁が当接する受け部１３とし、この受け部１３を、上方に向かうにつれ挿排口５側に傾斜したテーパ形状にしている。また、可動部材１４の軸方向の一端であって搬送ローラ１１の支持部分から偏心した位置に、カムピン１４ｂが突設されており、このカムピン１４ｂがスライド部材１７のカム溝１７ａに係合する。また、可動部材１４は、フローティング部３に回動自在に支持された支点１４ｃ（図５および図６に示す）を中心にして回動可能となっており、回動に伴い、搬送ローラ１１およびディスク挿入防止突部１２が上下方向に互い違いで移動する。
【００１７】
樹脂製のスライド部材１７には、可動部材１４のカムピン１４ｂと係合するためのカム溝１７ａが形成されている。カム溝１７ａは、高さ位置の異なる溝部１７ｂ，１７ｃと、これら溝部１７ｂ，１７ｃを繋ぐ傾斜溝部１７ｄとからなる。また、スライド部材１７の上端面にクランパ押上部１７ｅを突設して、スライド部材１７の前後方向の移動に伴いクランプ部材２３を上下方向に移動させる。このスライド部材１７は、ディスク挿入待機状態では図５に示すように再生位置側へ後退した位置にあり、ディスク４が再生位置に到達してレバー１６を押動すると、このレバー１６が回動してスライド部材１７の後端部を押動して挿排口５側へ前進させ、図６に示す位置に移動させる。スライド部材１７の後退はばね部材など（不図示）で行う。
【００１８】
また、スライド部材１７には、ディスクガイド１８のカムピン１８ｂと係合するためのディスクガイド押下部１７ｆが形成されている。このディスクガイド押下部１７ｆは、スライド部材１７の装置内側方向に形成されており、テーパ形状と突形状とからなる。また、ディスクガイド１８のスライド部材１７側の端部には、側板１８ａが垂下しており、この側板１８ａにカムピン１８ｂが突設されている。そして、図５から図６へ示す状態へ、スライド部材１７が前進する際に、カムピン１８ｂがディスクガイド押下部１７ｆのテーパ形状に当接してディスクガイド１８が押し下げられる。スライド部材１７が後退すると、カムピン１８ｂがディスクガイド押下部１７ｆから離れ、ディスクガイド１８が上方へ移動する。
【００１９】
フローティング部３に設けられた再生部は、ディスク４を回転させるターンテーブル２１と、ディスク４をターンテーブル２１上に保持するクランパ２２と、クランパ２２をターンテーブル２１と対向するように回転自在に保持するクランプ部材２３と、ディスク４の情報再生および情報記録を行う光ピックアップ（不図示）とから構成される。クランプ部材２３には、スライド部材１７が再生位置側へ後退したときにクランパ押上部１７ｅに当接する当接部２３ａが設けられている。ディスク挿入待機状態のときは当接部２３ａがクランパ押上部１７ｅに乗りあがることでクランプ部材２３が上方へ移動し、ターンテーブル２１とクランパ２２との間にディスク４挿排用の隙間ができる。ディスク再生状態のときは当接部２３ａがクランパ押上部１７ｅとずれた位置にくることでクランプ部材２３が下方へ移動し、クランパ２２がターンテーブル２１上のディスク４をクランプする。
【００２０】
次に、ディスク装置１の動作を説明する。
図５に示すディスク挿入待機状態のとき、スライド部材１７が再生位置側へ後退した状態であるので、可動部材１４のカムピン１４ｂがカム溝１７ａの高い側の溝部１７ｂに係合している。よって、搬送ローラ１１は搬送経路へ上昇した位置に配置されて挿排口５から挿入されるディスク４の下面に接触する状態に保持されている。また、この状態ではギア１１ａがギア連１５に噛み合っているので搬送ローラ１１が回転しており、挿排口５から挿入されるディスク４は、下面を回転する搬送ローラ１１のゴム部材に弾接させ、上面をディスクガイド１８に案内されながら再生位置側へと搬送される。さらに、可動部材１４の挿排口５側に設けられたディスク挿入防止突部１２は、搬送経路から下降した位置に配置され、ディスク４の搬送を妨げないよう退避した状態に保持されている。
また、図５では省略しているが、クランパ押上部１７ｅと当接部２３ａの当接により、スライド部材１７がクランプ部材２３を押し上げた状態に保持して、ターンテーブル２１とクランパ２２の間にディスク４を挿入する隙間を作る。
【００２１】
図４に示すように、再生位置へ搬送されたディスク４の外周縁がレバー１６を押動すると、このレバー１６が回動してスライド部材１７の再生位置側の後端部を押動し、スライド部材１７を挿排口５側へ前進させる。図６に示すように、スライド部材１７のスライド移動に伴い、カム溝１７ａの溝部１７ｂに係合したカムピン１４ｂが傾斜溝部１７ｄから溝部１７ｃへ降下し、かつ、支点１４ｃを中心に可動部材１４が回動する。これにより、搬送ローラ１１が搬送経路から下降して退避する一方、ディスク挿入防止突部１２が搬送経路内へ上昇して搬送経路を塞ぐ。搬送ローラ１１が搬送経路から退避すると、ギア１１ａとギア連１５の噛合が外れて搬送ローラ１１の回転が止まる。そして、ディスク４の中央穴がターンテーブル２１の回転中心部に嵌合する。
また、スライド部材１７が前進すると、クランパ押上部１７ｅが当接部２３ａから外れるのでクランプ部材２３が下がり、連動してクランパ２２も下がってディスク４をターンテーブル２１へクランプする。また、スライド部材１７の前進により、ディスクガイド押下部１７ｆがカムピン１８ｂに当接し、ディスクガイド１８を押し下げる。
【００２２】
その後、図６に示すディスク再生状態において、不図示の光ピックアップがモータに駆動されて移動しながら、ディスク４の記録再生面の情報読み取りまたは情報書き込みを行う。
【００２３】
ここで、ディスク挿入防止突部１２の受け部１３による重複挿入および誤挿入の防止効果を説明する。
図７は、ディスク装置１の主要な内部構成を模式的に表した側面図である。ここでは、ディスク装置１をオーディオセットの意匠外箱３０に収納している。図７（ａ）に示すように、ディスク装置１に既にディスク４が挿入されている状態で、２枚目のディスク４ａが斜め下方向からディスク挿入口３１へ挿入されると、ディスク４ａの外周縁が搬送経路内にあるディスク挿入防止突部１２の受け部１３に面接触して、受け部１３を押圧することになる。すると、受け部１３がディスク４ａの上方向の押圧を受けて、ディスク搬送部および再生部を含めたフローティング部３の前部をシャーシ２に対して上方向に移動させ、シャーシ２の天面とフローティング部３との隙間を閉じさせる。よって、ディスク４ａがシャーシ２とフローティング部３の上側の隙間へ誤挿入されることを防止できる。
斜め下方向以外の方向（水平方向、斜め上方向など）からディスク４ａが挿入された場合にも、ディスク挿入防止突部１２の受け部１３にディスク４ａの外周縁が接触するので、再生部へ重複挿入されることを防止できる。
【００２４】
以上より、実施の形態１によれば、シャーシ２にダンパ６およびコイルばね７ａを介して保持されるフローティング部３を備える全体フロート型のディスク装置１は、フローティング部３の可動部材１４に突設したディスク挿入防止突部１２に、搬送経路に対して傾いた状態で斜め下方向から挿入される新たなディスク４ａの外周縁が当接して、この当接による上向きの押圧力によりフローティング部３を上方移動させる受け部１３を有するように構成した。このため、フローティング部３の前部が上方移動してシャーシ２の天面との隙間を閉じるようになり、２枚目のディスク４ａがこの隙間に誤挿入されることを防止できる。
【００２５】
なお、上記実施の形態１では、受け部１３を、ディスク挿入防止突部１２の挿排口５側に形成された、上方向に向かうにつれ挿排口５側へ傾斜するテーパ形状にしたが、これに限定されるものではなく、ディスクの上方向への押圧力を受けてフローティング部３の前部を上方移動させるような形状であればよい。以下、変形例をいくつか説明する。
【００２６】
図８は、可動部材１４を挿排口５側から見た斜視図である。図８の例では、テーパ形状の受け部１３を、ディスク挿入防止突部１２の挿排口５を向いた面全てではなく、一部に形成している。この場合でも、上記実施の形態１と同様に斜め下方向から挿入されるディスク４ａが受け部１３に当接することにより、フローティング部３の前部が上方移動するので、シャーシ２とフローティング部３の隙間への誤挿入を防止できる。また、斜め下方向以外の方向からディスク４ａが挿入された場合にはディスク挿入防止突部１２または受け部１３に当接するので、再生部へ重複挿入されることも防止できる。
【００２７】
図９も、可動部材１４を挿排口５側から見た斜視図である。図９の例では、別体のディスク挿入防止突部１２を折り曲げ部１４ａに取り付けるのではなく、板金部材である可動部材１４を曲げ加工して、折り曲げ部１４ａにテーパ形状の受け部１３を形成している。この場合でも、上記実施の形態１と同様にどの方向からディスクが挿入されても誤挿入および重複挿入を防止できる。
【００２８】
図１０も、可動部材１４を挿排口５側から見た斜視図である。図１０の例では、受け部１３をテーパ形状ではなく、突形状に形成している。この受け部１３は樹脂製のディスク挿入防止突部１２と一体的に成形してもよいし、板金部材の可動部材１４を折り曲げ加工して形成してもよい。この場合でも、上記実施の形態１と同様にどの方向からディスクが挿入されても誤挿入および重複挿入を防止できる。
【００２９】
図１１も、可動部材１４を挿排口５側から見た斜視図である。図１１の例では、板金製の可動部材１４をシャーシ２の天面側へ折り曲げて折り曲げ部１４ａを形成し、この折り曲げ部１４ａの内角θが鈍角をなす形状とする。これにより、折り曲げた先端部分がディスク挿入防止突部１２になり、その挿排口５側の面が受け部１３となる。この場合でも、上記実施の形態１と同様にどの方向からディスクが挿入されても誤挿入および重複挿入を防止できる。
【００３０】
また、図８〜図１１以外の形状の受け部１３を形成してもよい。例えば、図１０ではディスク挿入防止突部１２を逆さのＬ字形状にして、折り曲げ部分を受け部１３にしたが、このＬ字の折り曲げ部分にＲをつけてもよい。
【００３１】
上記以外にも、本願発明はその発明の範囲内において、実施の形態の任意の構成要素の変形、もしくは実施の形態の任意の構成要素の省略が可能である。また、本願発明のディスク装置１は、全体フロート型にして防振効果を高めたので、振動の多い車載用のオーディオ装置およびナビゲーション装置などに用いるのに適している。
【符号の説明】
【００３２】
１  ディスク装置、２  シャーシ、３  フローティング部、４，４ａ  ディスク、５  挿排口、６  ダンパ、７  フック、７ａ  コイルばね、１１  搬送ローラ、１１ａ  ギア、１２  ディスク挿入防止突部、１３  受け部、１４  可動部材、１４ａ  折り曲げ部、１４ｂ  カムピン、１４ｃ  支点、１５  ギア連、１６  レバー、１７  スライド部材、１７ａ  カム溝、１７ｂ，１７ｃ  溝部、１７ｄ  傾斜溝部、１７ｅ  クランパ押上部、、１７ｆ  ディスクガイド押下部、１８  ディスクガイド、１８ａ  側板、１８ｂ  カムピン、２１  ターンテーブル、２２  クランパ、２３  クランプ部材、２３ａ  当接部、３０，１０３  意匠外箱、３１，１０３ａ  ディスク挿入口、１００  フローティング部、１０１  コイルばね、１０２  シャーシ、１０４  阻止手段、１０５，１０６  ディスク。
【図１】
0006053259.tif 000002
【図２】
0006053259.tif 000003
【図３】
0006053259.tif 000004
【図４】
0006053259.tif 000005
【図５】
0006053259.tif 000006
【図６】
0006053259.tif 000007
【図７】
0006053259.tif 000008
【図８】
0006053259.tif 000009
【図９】
0006053259.tif 000010
【図１０】
0006053259.tif 000011
【図１１】
0006053259.tif 000012
【図１２】
0006053259.tif 000013
【図１３】
0006053259.tif 000014